(57)【要約】【課題】収納された容器の容器底を固定する容器底固定片が、製造工程における搬送過程や、製品出荷後の配送過程における取り扱い時に、容器底から外れ、外部に飛び出してしまうのを抑制することのできるマルチパック用包装箱を提供する。【解決手段】マルチパック用包装箱１は、並列配置された複数個の容器１００の上面を覆う上面板２と、上面板２の両側部に連接され、各容器１００の側面を覆うように対向配置される側面板３，４と、側面板３，４のそれぞれに連接され、互いに係着し得る係止部７，８を有する底面板５，６と、底面板５，６と側面板３，４との連接部位に位置する折り線３ａ，５ａを跨ぐようにして形成されている、各容器１００の容器底凹部１１５内に潜り込ませ得る複数の容器底固定片３０とを備え、容器底固定片３０は、容器底固定片３０を容器底凹部１１５内に潜り込ませたときに、容器底凹部１１５に当接し得る係止爪部３１を有する。【選択図】図１
2013043653.tif 000002
【特許請求の範囲】
【請求項１】
容器底の周縁に形成されたリング状の凸状リム部により包囲される容器底凹部を有する容器を複数個まとめて収納するためのマルチパック用包装箱であって、
並列配置された複数個の容器からなる容器群の上面を覆う上面板と、
前記上面板の両側部に連接され、前記各容器の側面を覆うように対向配置される側面板と、
前記側面板のそれぞれに連接され、互いに係着し得る係止部を有する底面板と、
前記底面板と前記側面板との連接部位に位置する折り線を跨ぐようにして形成されている、前記複数の容器のそれぞれの前記容器底凹部内に潜り込ませ得る複数の容器底固定片と
を備え、
前記容器底固定片は、当該容器底固定片を前記容器底凹部内に潜り込ませたときに、当該容器底凹部に当接し得る係止爪部を有することを特徴とするマルチパック用包装箱。
【請求項２】
前記側面板が存在しない両端部において前記容器群の一部の側面を視認可能な開口部が形成されており、
前記複数の容器底固定片のうちの少なくとも前記開口部側に位置する前記容器に対応する容器底固定片は、前記係止爪部を有することを特徴とする請求項１に記載のマルチパック用包装箱。
【請求項３】
前記各容器底固定片は、複数の前記係止爪部を有することを特徴とする請求項１又は２に記載のマルチパック用包装箱。
【請求項４】
前記容器底固定片は、その一辺が前記底面板に固着されているとともに、当該容器底固定片の形態に沿って前記底面板から切り取られることで、前記底面板に固着される当該一辺を基部として可動可能に構成されており、
前記係止爪部は、前記容器底固定片の基部と当該基部に対向する先端部との間に形成された、当該基部側に向けて開放する略半円弧状、略Ｕ字状又は略コの字状の切り込み線により構成されていることを特徴とする請求項１〜３のいずれかに記載のマルチパック用包装箱。
【請求項５】
前記底面板から切り取られ、前記基部に沿って山折りとされ、前記基部と前記先端部との間に位置する、前記基部との平行線に沿って谷折りとされた前記容器底固定片を、前記容器底凹部内に潜り込ませたときに、前記先端部が前記容器の凸状リム部に当接し得るように、かつ前記先端部及び前記谷折りされた平行線の間の面と、前記谷折された平行線及び前記基部の間の面とのなす角度、並びに前記谷折りされた平行線及び前記基部の間の面と前記底面板とのなす角度が、いずれも９０°未満となるように、前記容器底固定片が構成されており、
前記係止爪部を構成する前記切り込み線の両端部が、前記谷折りとされる平行線上に位置することを特徴とする請求項４に記載のマルチパック用包装箱。
【請求項６】
前記容器底固定片は、前記基部と前記先端部との間に、前記基部における幅よりも広幅の拡幅部を有することを特徴とする請求項４又は５に記載のマルチパック用包装箱。
【請求項７】
請求項１〜６のいずれかに記載のマルチパック用包装箱に容器を収納してなることを特徴とするマルチパック包装製品。
【発明の詳細な説明】
【技術分野】
【０００１】
本発明は、例えば缶ビール、発泡酒缶、チューハイ缶等のアルコール飲料缶；缶ジュース、缶コーヒー、缶紅茶、缶入り茶等のノンアルコール飲料缶等の飲料が充填された容器を一定数量並列した状態のまま包装するマルチパック用包装箱に関する。
【背景技術】
【０００２】
従来、缶ビールや缶ジュース等の容器を複数個、一列で又は複数列で起立させた状態のまま整列させて置き、複数個の容器からなる容器群の上面（天面）、側面及び下面（底面）を包み込むようにして包装することのできる紙製のマルチパック用包装箱が使用されている。かかるマルチパック用包装箱は、一般に、容器群の上面（天面）を覆う上面板、上面板の対向する両端部のそれぞれに連接され、容器群の側面を覆う側面板、及び各側面板の端部に連接され、容器群の下面（底面）を覆う底面板を備え、側面板が存在しない両端部において容器群の少なくとも一部の側面を視認可能な開口部が形成されている。
【０００３】
このようなマルチパック用包装箱を使用することにより、複数個の缶ビールや缶ジュース等を１個の包装体に纏め、一度にかつ簡易に持ち運ぶことができるようになり、さらに、纏め売りの効果も相俟って、当該マルチパック用包装箱の使用が近年急速に拡大しつつある。
【０００４】
このようなマルチパック用包装箱においては、コストダウンや紙資源の有効活用を図るために、マルチパック用包装箱の板紙幅を縮小して使用面積を縮小することが試みられている。しかしながら、マルチパック用包装箱の板紙幅を縮小すると、一般に、容器の保持力が低下する傾向となる。すなわち、板紙幅の縮小と容器の保持力向上とは、いわゆるトレードオフの関係にあると言え、板紙幅を縮小して使用面積を縮小し、かつ、容器の保持力を向上させようとすることは、極めて困難である。
【０００５】
このような問題を解決するために、従来、マルチパック用包装箱を用いて包装される容器（容器群）の保持力を向上させるために、当該マルチパック用包装箱の底面板に、各容器の底部（容器底凹部）と係合し得るロッキングタブ（容器底固定片）が形成されてなるものが提案されている（特許文献１参照）。
【先行技術文献】
【特許文献】
【０００６】
【特許文献１】米国特許第６９８８６１７号明細書
【発明の概要】
【発明が解決しようとする課題】
【０００７】
上記特許文献１に記載のマルチパック用包装箱において、ロッキングタブは、一部が開放する略Ｕ字状の切り取り線により構成されるものであって、当該切り取り線に沿って切り取られたロッキングタブを順次山折り、谷折りに２段に折り曲げ、折り曲げられたロッキングタブを容器底凹部内に潜り込ませ、ロッキングタブの先端部を容器底凹部の内壁に当接させることで、底面板側から容器を固定することができる。
【０００８】
しかしながら、容器（容器群）を包装したマルチパック用包装箱の製造工程における搬送過程や、製品出荷後の配送過程における取り扱い時に、当該ロッキングタブが容器底凹部の内壁との当接部位から外れて外部に飛び出してしまうことがあり、それにより、マルチパック用包装箱における容器の保持力が低下してしまうという問題や、見栄えが悪くなってしまうという問題がある。
【０００９】
このような実状のもと、本発明は、収納された容器の容器底を固定する容器底固定片が、製造工程における搬送過程や、製品出荷後の配送過程における取り扱い時に、容器底から外れ、外部に飛び出してしまうのを抑制することのできるマルチパック用包装箱を提供することを目的とする。
【課題を解決するための手段】
【００１０】
上記課題を解決するために、本発明は、容器底の周縁に形成されたリング状の凸状リム部により包囲される容器底凹部を有する容器を複数個まとめて収納するためのマルチパック用包装箱であって、並列配置された複数個の容器からなる容器群の上面を覆う上面板と、前記上面板の両側部に連接され、前記各容器の側面を覆うように対向配置される側面板と、前記側面板のそれぞれに連接され、互いに係着し得る係止部を有する底面板と、前記底面板と前記側面板との連接部位に位置する折り線を跨ぐようにして形成されている、前記複数の容器のそれぞれの前記容器底凹部内に潜り込ませ得る複数の容器底固定片とを備え、前記容器底固定片は、当該容器底固定片を前記容器底凹部内に潜り込ませたときに、当該容器底凹部に当接し得る係止爪部を有することを特徴とするマルチパック用包装箱を提供する（発明１）。
【００１１】
上記発明（発明１）においては、前記側面板が存在しない両端部において前記容器群の一部の側面を視認可能な開口部が形成されており、前記複数の容器底固定片のうちの少なくとも前記開口部側に位置する前記容器に対応する容器底固定片は、前記係止爪部を有するのが好ましい（発明２）。
【００１２】
上記発明（発明１，２）においては、前記各容器底固定片は、複数の前記係止爪部を有するのが好ましい（発明３）。
【００１３】
上記発明（発明１〜３）においては、前記容器底固定片は、その一辺が前記底面板に固着されているとともに、当該容器底固定片の形態に沿って前記底面板から切り取られることで、前記底面板に固着される当該一辺を基部として可動可能に構成されており、前記係止爪部は、前記容器底固定片の基部と当該基部に対向する先端部との間に形成された、当該基部側に向けて開放する略半円弧状、略Ｕ字状又は略コの字状の切り込み線により構成されているのが好ましい（発明４）。
【００１４】
上記発明（発明４）においては、前記底面板から切り取られ、前記基部に沿って山折りとされ、前記基部と前記先端部との間に位置する、前記基部との平行線に沿って谷折りとされた前記容器底固定片を、前記容器底凹部内に潜り込ませたときに、前記先端部が前記容器の凸状リム部に当接し得るように、かつ前記先端部及び前記谷折りされた平行線の間の面と、前記谷折された平行線及び前記基部の間の面とのなす角度、並びに前記谷折りされた平行線及び前記基部の間の面と前記底面板とのなす角度が、いずれも９０°未満となるように、前記容器底固定片が構成されており、前記係止爪部を構成する前記切り込み線の両端部が、前記谷折りとされる平行線上に位置するのが好ましい（発明５）。
【００１５】
上記発明（発明４，５）においては、前記容器底固定片は、前記基部と前記先端部との間に、前記基部における幅よりも広幅の拡幅部を有するのが好ましい（発明６）。
【００１６】
また、本発明は、上記発明（発明１〜６）に係るマルチパック用包装箱に容器を収納してなることを特徴とするマルチパック包装製品を提供する（発明７）。
【発明の効果】
【００１７】
本発明によれば、収納された容器の容器底を固定する容器底固定片が、製造工程における搬送過程や、製品出荷後の配送過程における取り扱い時に、容器底から外れ、外部に飛び出してしまうのを抑制することのできるマルチパック用包装箱を提供することができる。
【図面の簡単な説明】
【００１８】
【図１】図１は、本発明の一実施形態に係るマルチパック用包装箱を示す展開図である。
【図２】図２は、図１に示す展開された箱オリジナル紙を組み立てた本発明の一実施形態に係るマルチパック用包装箱（容器が収納された状態）を示す斜視図である。
【図３】図３は、本発明の一実施形態における保持フラップ機構部とこれに隣接する上部開口穴（端部開口穴）との形態（図１におけるＡ部の形態）を主として示す部分拡大平面図である。
【図４】図４は、本発明の一実施形態における容器底固定片の近傍の形態（図１におけるＢ部の形態）を示す部分拡大平面図である。
【図５】図５は、本発明の一実施形態における上面板とこの上面板の両端に連接する側面板との連接部近傍を示した部分拡大平面図である。
【図６】図６は、図１に示す展開された箱オリジナル紙を組み立てた本発明の一実施形態における容器底固定片の近傍の形態（図１におけるＢ部の形態）を示す斜視図である。
【図７】図７は、本発明の一実施形態における容器底固定片を２段に折り曲げて容器底凹部に挿着させ、容器が固定された状態を示す部分拡大断面図である。
【図８】図８は、本発明の一実施形態における容器底固定片の近傍を主として示す部分拡大平面図である。
【図９】図９は、本発明の一実施形態における容器底固定片の他の形態を示す部分拡大平面図である。
【図１０】図１０は、本発明の一実施形態における容器底固定片上の係止爪部３１の他の形態を示す部分拡大平面図である。
【発明を実施するための形態】
【００１９】
以下、本発明の実施の形態に係るマルチパック用包装箱について、図面を参照しつつ説明する。なお、本実施形態においては、缶ビールを６個収納（直列した３缶を２列に並列配置させて収納）することのできる一般的なマルチパック用包装箱を例に挙げて説明するが、本発明に係るマルチパック用包装箱は、これに限定されるものではない。
【００２０】
図１は、本発明の一実施形態に係るマルチパック用包装箱を示す展開図であり、図２は、図１に示す展開された箱オリジナル紙を組み立てた本実施形態に係るマルチパック用包装箱（容器が収納された状態）を示す斜視図であり、図３は、本実施形態における保持フラップ機構部とこれに隣接する上部開口穴（端部開口穴）との形態（図１におけるＡ部の形態）を主として示す部分拡大平面図であり、図４は、本実施形態における容器底固定片の近傍の形態（図１におけるＢ部の形態）を示す部分拡大平面図であり、図５は、本実施形態における上面板とこの上面板の両端に連接する側面板との連接部近傍を示した部分拡大平面図であり、図６は、図１に示す展開された箱オリジナル紙を組み立てた本実施形態における容器底固定片の近傍の形態（図１におけるＢ部の形態）を示す斜視図であり、図７は、本実施形態における容器底固定片を２段に折り曲げて容器底凹部に挿着させ、容器が固定された状態を示す部分拡大断面図である。
【００２１】
本実施形態に係るマルチパック用包装箱１において収納対象となる容器１００は、容器底１１０の周縁に形成されたリング状の凸状リム部１１１で包囲される容器底凹部１１５を有するものである（図６参照）。
【００２２】
本実施形態に係るマルチパック用包装箱１は、図１に示す展開シート（パック用シート）を組み立てることによって形成することができ、展開シートは、図１に示すように、横長の略矩形形状をなしている。
【００２３】
なお、本実施形態に係るマルチパック用包装箱１について説明する上で、便宜上、展開シートの短手方向を「幅方向」と、展開シートの長手方向を「長さ方向」と称することとする（図１に示した矢印を参照）。
【００２４】
図１に示す展開シートにおいて、その中央部は上面板２を構成し、上面板２の両端部のそれぞれに側面板３，４が折り線２ａを介して連接されている。そして、側面板３における、上面板２が連接されている端部（折り線２ａ側）と対向する端部には底面板５が折り線３ａ，５ａを介して連接され、側面板４における、上面板２が連接されている端部（折り線２ａ側）と対向する端部には底面板６が折り線３ａ，５ａを介して連接されている。なお、折り線５ａは、その両端部が開口部Ｐ側の端部にまで至るように側面板３，４と底面板５，６との境界部分に形成されているが、折り線３ａは、開口部Ｐ側の端部にまでは至らないように側面板３，４と底面板５，６との境界部分に形成されている。
【００２５】
本実施形態においては、上面板２は、直列３個を並列２列に起立状態に整列させた缶ビール６個の上面を覆うように、幅方向には略ビール缶３缶分、長さ方向には略ビール缶２缶分の長さからなる面積を備えている。そして、上面板２の両端部には缶ビールの側部を覆うようにその高さに相当する側面板３，側面板４がそれぞれ境界線をなす折り線２ａを介して連接されている。
【００２６】
底面板５，６には、互いに係着し得る係止部７（底面板５側），８（底面板６側）が、それぞれ形成されている。係止部７の係止孔７ａと係止部８の切り込み部分８ａとが対になり、また、係止部７の切り込み孔７ｂと係止部８の係止片部分８ｂとが対となり、底面板５，６が互いに係着される。
【００２７】
そして、係止部７，８を介して底面板５，６を係着することにより、複数の缶容器１００からなる容器群を包むように収納できるマルチパック用包装箱１が組立てられる（図２参照）。その結果、側面板３，４が存在しない両端部において容器群の一部の側面を視認可能な開口部Ｐが、それぞれ形成されることになる。
【００２８】
図１に示すように、側面板３，４の両端部（開口部Ｐ側）における上面板２側には、内部に収納される容器が包装箱の開口部Ｐから飛び出したり脱落したりするのを防止し得る、容器の上部を保持するための保持フラップ機構部９０が形成されている。
【００２９】
さらに、上面板２と側面板３，４との連接部分の近傍であって、開口部Ｐに近い位置に、開口部Ｐ側に配置された４つの容器のそれぞれに対応する４つの端部開口穴２１が形成されており、端部開口穴２１の間に位置するように、略中央に配置された２つの容器のそれぞれに対応する２つの中部開口穴２２が形成されている。この容器に対応する端部開口穴２１及び中部開口穴２２の縁部の一部が容器の上部に当接することによって、収納される容器の上部が係止される。本実施形態においては、端部開口穴２１及び中部開口穴２２と保持フラップ機構部９０との双方の係止効果によって、これらと係合される容器の保持力を格段に向上させることができる。さらには、このような仕様によりマルチパック用包装箱１の少なくとも幅方向の寸法を短縮することができるため、紙原料の使用量の削減を図ることができる。
【００３０】
図１及び図３に示すように、保持フラップ機構部９０は、開口部Ｐの内側に折り込まれて容器を保持する機能を有する押込フラップ片９２と、容器の上部を係止して抜き止め作用をする抜き止め帯片９１とを有する。
【００３１】
押込フラップ片９２は、山折り線９２ａを介してマルチパック用包装箱１の内部に折り込まれるように構成されている。そのため、山折り線９２ａは、組み立てられたマルチパック用包装箱１における側面板３，４の開口部Ｐ側の端部を構成することになる。抜き止め帯片９１は、谷折り線９１ａを介してその一部が押込フラップ片９２に連続するとともに、谷折り線９１ｂを介してその一部が上面板２に連続するように構成されており、抜き止め帯片９１と押込フラップ片９２との境界の一部は離間されている。このように、これらの境界の一部が離間されていることによって、押込フラップ片９２のマルチパック用包装箱１の内部への折り込み及び抜き止め帯片９１の谷折りの操作が可能となる。
【００３２】
本実施形態における抜き止め帯片９１の帯状形態の片端部９１’は、端部開口穴２１の開口形態によって形作られている。そして、山折り線９２ａの片端及び谷折り線９１ａの片端は、それぞれ、端部開口穴２１に至るまで延設されている。
【００３３】
本実施形態における山折り線９２ａは、長さ方向に平行なライン、又は上面板２に向かうに従い開口部Ｐ側方向（外側方向）に傾斜したライン（長さ方向に対する傾斜角度θ＝０°超５°以下、好ましくは１〜３°）として構成されている。この山折り線９２ａの傾斜角度θは、マルチパック用包装箱１に収納される容器の胴径等に応じて、最適な保持力を奏し得るように適宜設定することができる。
【００３４】
また、本実施形態において、端部開口穴２１の開口形態は、図３に示すように、角の丸められた頂点が底面板５（６）側に向く略逆三角形状であって、最下点を側面板３（４）の開口部Ｐ側にシフトさせた形態（略逆直角三角形状）とするのが好ましい。中部開口穴２２の開口形態は、図１に示すように、側面板３（４）から上面板２側に向かって拡がる略ベル形状（略鐘形状）であるのが好ましい。
【００３５】
図１に示すように、本実施形態における側面板３，４の開口部Ｐ側の端辺のうち、底面板５，６側に位置する開口部Ｐ側の端辺は、押込フラップ片９２の下端９２ｂから底面板５，６側に向けて伸びる非傾斜辺３Ａ，４Ａと、この非傾斜辺３Ａ，４Ａに連続し、開口部Ｐ側方向（外側方向）に傾斜する傾斜辺３Ｂ，４Ｂとを含む。
【００３６】
開口部Ｐの近傍における側面板３，４と底面板５，６との境界部においては、連接部８０を介して側面板３，４と底面板５，６とが連接されている。かかる連接部８０は、図４に示すように、一端が傾斜辺３Ｂ，４Ｂに連続し、他端が底面板５，６の開口部Ｐ側の端辺５Ａ，６Ａに連続する連接辺８０Ａ、傾斜辺３Ｂ，４Ｂと連接辺８０Ａとの連続部８１にまで至る山折り線８０ａ、及び底面板５，６の開口部Ｐ側の端辺５Ａ，６Ａと連接辺８０Ａとの連続部８２にまで至る山折り線８０ｂにより囲まれた領域（略三角形状の領域）として構成される。
【００３７】
図４に示すように、連接部８０は、側面板３（４）と底面板５（６）との連接部分（境界部分）に位置するようにして設けられる。そして、連接辺８０Ａは、底面板５（６）の開口部Ｐ側の端辺５Ａ（６Ａ）よりも内側に位置し、山折り線３ａを開口部Ｐ側に向けて伸ばした仮想線ＶＬと交差するように位置する。このような位置関係で連接部８０が設けられていることで、当該連接部８０（連接辺８０Ａ）に対して衝撃が加わり難くなり、仮に連接部８０（連接辺８０Ａ）に対して衝撃が加わったとしても、山折り線８０ａ，８０ｂに沿って連接部８０がマルチパック用包装箱１の内側に向けて折れ曲がることで当該衝撃を吸収し得るため、当該連接部８０の破損を抑制することができる。すなわち、山折り線８０ａ，８０ｂの存在により、連接部８０に加えられた衝撃に対する緩衝効果が奏されることになる。
【００３８】
図４に示すように、本実施形態において、連接辺８０Ａは、傾斜辺３Ｂ（４Ｂ）と端辺５Ａ（６Ａ）との間に介在しており、その形状は、角部が丸められた折曲部を両端部に有する形状であってもよいし、開口部Ｐ側に向けて凸になる湾曲形状を有していてもよい。連接辺８０Ａがこのような形状を有することで、連接部８０（連接辺８０Ａ）に対して加わった衝撃を分散することができるため、連接部８０の破損をより抑制することができる。
【００３９】
２本の山折り線８０ａ，８０ｂのなす角度θ’は、連接部８０（連接辺８０Ａ）に対して加わった衝撃を吸収可能であり、当該連接部８０の破損を抑制可能である限り特に制限されるものではないが、好適には９０〜１００°程度である。
【００４０】
傾斜辺３Ｂ（４Ｂ）と連接辺８０Ａとの連続部８１、及び端辺５Ａ（６Ａ）と連接辺８０Ａとの連続部８２は、開口部Ｐ側に向けて凹になる湾曲形状（曲率半径０．７ｍｍ程度（Ｒ０．７））を有している。連続部８１，８２は、連接部８０（連接辺８０Ａ）に加わった衝撃が集中しやすい部分であり、また、当該連続部８１，８２に至る山折り線８０ａ，８０ｂ部分がその他の部分（折り線が形成されていない部分）に比して低強度であることで、連続部８１，８２が角形状を有していると、当該衝撃により山折り線８０ａ，８０ｂに沿って破損しやすくなる。しかし、本実施形態においては、連続部８１，８２が湾曲形状を有していることで、連接部８０（連接辺８０Ａ）に加わった衝撃が連続部８１，８２に集中し難くなるため、山折り線８０ａ，８０ｂに沿って破損するのを抑制することができる。
【００４１】
なお、傾斜辺３Ｂ（４Ｂ）は、折曲点３Ｃ（４Ｃ）にて連続部８１に向かって折れ曲がり、当該連続部８１にて連接辺８０Ａに連続している。また、端辺５Ａ（６Ａ）は、折曲点５Ｂ（６Ｂ）にて連続部８２に向かって折れ曲がり、当該連続部８２にて連接辺８０Ａに連続している。かかる折曲点３Ｃ（４Ｃ），５Ｂ（６Ｂ）は、開口部Ｐ側に向けて凸になる湾曲形状（曲率半径１ｍｍ程度（Ｒ１））を有している。これにより、当該折曲点３Ｃ（４Ｃ），５Ｂ（６Ｂ）に手指が触れたとしても痛みを伴うことがないという効果を奏し得る。
【００４２】
なお、図５に示すように、両端部の容器に対応して設けられた端部開口穴２１の中心線Ｇ１は、両端部に位置して収納されている容器の中心線Ｂ１より、外方（開口部側）にずれているのが望ましい。端部に位置する端部開口穴２１の中心線Ｇ１は、端部基準線Ｌ１と平行な線であり、容器の中心線Ｂ１も、端部基準線Ｌ１と平行な線である。ずれ距離Ｋ１（単位：ｍｍ）は、０．５〜３．０ｍｍ程度に設定すればよい。このようにして両端部に位置する端部開口穴２１の中心位置を、缶容器の中心位置に対して、幅方向の外側に向けて所望の距離Ｋ１のずれを生じさせることによって、缶の保持力を向上させることができる。
【００４３】
中部開口穴２２は、その幅Ｐ２２が端部開口穴２１の幅Ｐ１１よりも大きくなるように形成されるのが望ましい。これらの幅の比（Ｐ２２／Ｐ１１）は、好ましくは１．１〜１．５、より好ましくは１．２〜１．４の範囲で適宜設定することができる。さらに、中部開口穴２２は、その開口面積Ｓ２が端部開口穴２１の開口面積Ｓ１よりも大きくなるように形成されるのが好ましい。これらの開口面積比（Ｓ２／Ｓ１）は、１．１〜３．１の範囲で適宜設定することができる。
【００４４】
なお、図１に示すように、上面板２には、指を挿入して持ち上げるための２つのフィンガーホール１６と、切り取り線１７とが形成されている。この切り取り線１７により、上面引裂き開口片が形成されており、上面引裂き開口片の引き剥がし操作が可能となっている。
【００４５】
図１に示すように、側面板３，４と底面板５，６との境界部分には、収容される複数の容器のそれぞれに対応する容器底固定片３０が、側面板３，４と底面板５，６との折り線３ａ，５ａを跨ぐようにして形成されている。容器底固定片３０は、その一辺が基部３３として底面板５，６に固着されているとともに、容器底固定片３０の形態に沿って底面板５，６から切り取られることで、基部３３を基線として可動可能に構成されている。
【００４６】
また、図４に示すように、容器底固定片３０には、折り線５ａと同一線（基端部３２）上に端部３４ａ，３４ａが位置し、基部３３側に向けて開放する略半円弧状の切り取り線３４が２つ形成されており、この２つの切り取り線３４のそれぞれにより囲まれた領域として２つの係止爪部３１が構成されている。
【００４７】
かかる容器底固定片３０は、図６及び図７に示すように、基部３３を基線として山折りに折り曲げられるとともに、係止爪部３１を構成する切り取り線３４の端部３４ａ，３４ａを結ぶ基端部３２を基線として谷折りに折り曲げられ、その状態で缶容器１００の容器底凹部１１５内に潜り込ませたときに、先端３５がリング状の凸状リム部１１１の内側湾曲部に当接されるように構成され、これにより、容器底が固定される。そして、基端部３２を基線として谷折りに折り曲げられるときに、略半円弧状の切り取り線３４により切り取られ、基部３３及び基端部３２を含む面と同一平面を構成するようにして立設する係止爪部３１が現れることになる。この係止爪部３１が缶容器１００の容器底凹部１１５に当接することにより容器底固定片３０が缶容器の底部（容器底凹部１１５内）に係止されるとともに、先端３５が容器底凹部１１５内から飛び出してしまうのを、係止爪部３１と容器底凹部１１５面との摩擦により抑制することができる。その結果として、容器がその底部において強固に固定されることになる。
【００４８】
また、容器底固定片３０は、マルチパック用包装箱１に収納される缶容器１００との位置関係において、基部３３及び基端部３２を基線として２段に折り曲げられ、容器底凹部１１５内に潜り込ませたときに、先端３５及び基端部３２を含む面３０ａと、基端部３２及び基部３３を含む面３０ｂとのなす角度θ１が９０°未満となるように、かつ底面板５（６）と、基端部３２及び基部３３を含む面３０ｂとのなす角度θ２が９０°未満となるように構成されている。すなわち、容器底固定片３０は、容器底凹部１１５内に潜り込ませた状態において、２段に折り曲げられた容器底固定片３０と底面板５（６）とにより、略Ｚ字状に構成されることになる。これにより、容器底固定片３０によって容器を容器底から保持することができる。
【００４９】
なお、係止爪部３１の基端部３２からの長さ方向における長さは、基部３３と基端部３２との間の長さ方向における長さ、及び缶容器１００の容器底凹部１１５の缶容器１００の軸方向における深さ等に応じて適宜設定することができる。しかし、係止爪部３１の当該長さを極端に長くしてしまうと、容器底固定片３０を基端部３２に沿って谷折りに折り曲げたときに、係止爪部３１が切り取り線３４に沿って切り取られず、係止爪部３１を立設させることができなかったり、係止爪部３１が途中から又は基端部３２に沿って折れ曲がってしまったりするおそれがある。したがって、係止爪部３１の当該長さは、容器底固定片３０を基端部３２に沿って谷折りに折り曲げたときに、係止爪部３１が切り取り線３４に沿って切り取られ、係止爪部３１を立設させることができ、かつ係止爪部３１が折れ曲がることのない程度の長さとするのが望ましい。
【００５０】
このような容器底固定片３０の好適な形態について、以下に説明する。
図８に示すように、複数（６つ）の容器底固定片３０のうち、幅方向略中央に位置する２つの容器底固定片３０は、基部３３と先端３５との間であって、基部３３から、先端３５の容器底の固定に必要な設置幅Ｗ１に至るまでの間に、基部３３の両側部の幅（基準幅）Ｗ０よりも広幅の２つの拡張部３６，３８を有する。先端３５は、容器１００の容器底１１０周縁に形成されたリング状の凸状リム部１１１の内側湾曲形状に沿った形状を有する。このような形状を有することで、リング状の凸状リム部１１１の内側に当該先端３５を当接させたときに、容器の保持力を向上させることができる。
【００５１】
図８に示す容器底固定片３０は、基部３３から先端３５に向かっていく途中に、幅方向外方に膨らむ第１の拡張部３８（幅Ｗ４）を有し、さらに先端３５側に、幅方向外方に膨らむ第２の拡張部３６（幅Ｗ５）を有する。つまり、２つの広幅の拡張部のうち、第２の拡張部３６が、容器底の固定に必要な設置幅Ｗ１に至る直前に設けられており、第１の拡張部３８が第２の拡張部３６よりも基部３３側に設けられている。第２の拡張部３６を設けることにより、容器底固定片３０の先端３５における容器底の固定に必要な設置幅Ｗ１を増大させることができるとともに、極端な凹凸のない簡易な容器底固定片３０の形態が実現でき、高速自動充填機械によるパッケージングをより確実に行なうことができる。
【００５２】
一方、開口部Ｐ近傍に位置する４つの容器底固定片３０は、第１の拡張部３８が、幅方向内側に向かって広幅となっているが、開口部Ｐ側に向かっては広幅となっていない点以外は、上述した幅方向略中央に位置する２つの容器底固定片３０と略同様の構成を有する。当該容器底固定片３０における第１の拡張部３８を、開口部Ｐ側に向かって広幅としてしまうと、容器底固定片３０がその形態に沿って切り取られた後の開口穴の縁部と、底面板５，６の開口部側端片との間の長さが短くなってしまい、当該部分の強度が低下してしまうおそれがある。
【００５３】
なお、容器底固定片３０は、上述のものに限定されるものではなく、例えば、以下に説明するような形態のものであってもよい。
【００５４】
図９に示すように、容器底固定片３０は、基部３３の両側部の幅（基準幅）Ｗ０よりも広幅Ｗ４の拡張部３８，３８を有し、当該拡張部３８，３８は、可動片の先端３５に向かって両側部に設けられている。
【００５５】
かかる容器底固定片３０においては、基準幅Ｗ０の基部３３近傍から広幅の拡張部３８，３８に至るまでに、可動片の両側部にそれぞれ括れ部３９，３９（幅Ｗ２）が設けられている。すなわち、容器底固定片３０は、基部３３から先端３５に向かう途中に括れ部３９を有し、当該括れ部３９からさらに先端３５に向かう両側部に、それぞれ、外方に脹らむ拡張部３８を有する。
【００５６】
一方、開口部Ｐ近傍に位置する４つの容器底固定片３０は、拡張部３８が、幅方向内側に向かってのみ膨らんでいるが、開口部Ｐ側に向かっては膨らんでいない点以外は、上述した幅方向略中央に位置する２つの容器底固定片３０と略同様の構成を有する。
【００５７】
上述したような構成を備える本実施形態に係るマルチパック用包装箱１の中に容器（６個の缶容器）を収納することにより、マルチパック包装製品が完成する。
【００５８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５９】
上記実施形態においては、缶ビールを包装するためのマルチパック用包装箱を例にとって説明したが、本発明はこれに限定されるものではなく、例えば、発泡酒缶、チューハイ缶等のアルコール飲料缶や、缶ジュース、缶コーヒー、缶紅茶、缶入り茶等のノンアルコール飲料缶などその他の各種缶製品に適用してもよい。
【００６０】
上記実施形態においては、すべての容器底固定片３０に係止爪部３１を構成する切り取り線３４が形成されているが、本発明はこれに限定されるものではなく、開口部Ｐ側に位置する４つの容器底固定片３０に少なくとも当該切り取り線３４が形成されていればよく、幅方向略中央に位置する２つの容器底固定片３０には当該切り取り線３４が形成されていなくてもよい。
【００６１】
上記実施形態においては、各容器底固定片３０に２つの切り取り線３４が形成され、当該容器底固定片３０を２段に折り曲げたときに、２つの係止爪部３１が立設するように構成されているが、本発明はこれに限定されるものではなく、各容器底固定片３０に１つの切り取り線３４が形成されていてもよいし、３つ以上の切り取り線３４が形成されていてもよい。
【００６２】
上記実施形態において、各容器底固定片３０に形成されている切り取り線３４の形状（係止爪部３１の形状）は、基部３３側に向けて開放する略半円弧状であるが、本発明はこれに限定されるものではなく、図１０に示すように、当該形状は、基部３３側に向けて開放する略Ｕ字状（図１０（Ａ））、略コの字状（図１０（Ｂ））、略台形状（図１０（Ｃ））等であってもよい。
【実施例】
【００６３】
〔実施例１〕
図１に示す展開シートを組み立てて、３５０ｍＬ缶ビール６本を纏めて包装したマルチパック用包装箱１を２０パック用意した。次に、直方体形状のラップアラウンド式包装箱５ケースのそれぞれに当該マルチパック用包装箱１を４パック（縦２パック×横２パック）ずつ纏めて梱包した。そして、当該ラップアラウンド包装箱の底面板側における任意の一の角部から落下するように、所定の高さから各ラップアラウンド式包装箱を落下させた。
【００６４】
〔比較例１〕
係止爪部３１が設けられていない以外は実施例１と同様の構成を有するマルチパック用包装箱を用意し、実施例１と同様にしてラップアラウンド式包装箱を落下させた。
【００６５】
上記落下試験の結果、実施例１のマルチパック用包装箱１においては、容器底固定片３０が容器底から外れ、飛び出してしまうことがなかったが、比較例１のマルチパック用包装箱合計２０パック（ラップアラウンド式包装箱５ケース×マルチパック用包装箱４パック）中の７パックにおいて、落下の衝撃によって容器底固定片が容器底から外れ、飛び出してしまった。
【００６６】
上記試験結果から明らかなように、実施例１のマルチパック用包装箱によれば、容器底固定片に係止爪部が設けられていることで、容器底から容器底固定片が外れて、飛び出してしまうのを抑制することができる。
【産業上の利用可能性】
【００６７】
本発明のマルチパック用包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般において利用することができる。
【符号の説明】
【００６８】
１…マルチパック用包装箱
２…上面板
３，４…側面板
５，６…底面板
３０…容器底固定片
３１…係止爪部
Ｐ…開口部
【図１】
2013043653.tif 000003
【図２】
2013043653.tif 000004
【図３】
2013043653.tif 000005
【図４】
2013043653.tif 000006
【図５】
2013043653.tif 000007
【図６】
2013043653.tif 000008
【図７】
2013043653.tif 000009
【図８】
2013043653.tif 000010
【図９】
2013043653.tif 000011
【図１０】
2013043653.tif 000012